(57)【要約】【課題】積雪地や寒冷地に適した基礎構造を備えたフェンスに関し、積雪時におけるフェンスの倒壊や基礎ブロックの破損などの問題を解決して、耐雪強度の大きなフェンスを得ること、更には凍結による基礎の損壊を防止して、耐雪及び耐寒強度に優れたフェンスを得ることを課題としている。【解決手段】鋼管杭８を地中に打ち込んでこの鋼管杭８により支柱１を支持することとし、かつこの鋼管杭８を地中に深く（１ｍ以上）打ち込むことにより、地熱を鋼管杭８または管内部の充填物１０の伝熱作用により地表部分に導き、基礎ブロック９部分の凍結を防止する。地下は夏冬及び昼夜の温度変化が少なく、冬季に地表が凍結しても地中の水は凍結しない。この保温された熱は、鋼管杭８の先端から杭の内部の土砂ないし水を伝って地表部に伝熱される。鋼管杭８の内部に砂を充填すれば、地中から地表への伝熱が円滑に行われ、優れた凍結防止作用が得られる。【選択図】      図２
0003113445.tif 000002
【実用新案登録請求の範囲】
【請求項１】
支柱(1)の基端に位置する基礎ブロック(9)と、この基礎ブロックに上端を固定して先端を凍結しない深さまで地中に差込んだ鋼管杭(8)と、基端をこの鋼管杭の上端に固定して立設された前記支柱とを備えた、フェンス。
【請求項２】
前記鋼管杭の側面に管の内外を連通する通孔(15)を備え、当該鋼管杭の内部に砂その他の粒状物(10)が充填されている、請求項１記載のフェンス。
【請求項３】
前記鋼管杭が前記支柱の立設間隔(P)より大きい地中挿入深さ(H)を備えている、請求項１又は２記載のフェンス。
【請求項４】
前記鋼管杭が、その外径より径の大きい掘削孔(12)に挿通され、当該掘削孔と鋼管杭との間に砂その他の粒状物(11)が充填されている、請求項１、２又は３記載のフェンス。
【考案の詳細な説明】
【技術分野】
【０００１】
この考案は、フェンス（フェンスに取り付けられている門扉を含む。）に関するもので、特にフェンスの支柱を支持している基礎の構造に特徴があるフェンスに関し、積雪時における耐雪・耐震強度や凍害防止に特徴がある基礎構造を備えたフェンスに関するものである。
【背景技術】
【０００２】
フェンスは、所定間隔で地面に立設した支柱に胴縁を渡し、この支柱と胴縁とで形成された枠に金網や波板を止着した構造を備えている。支柱は、地表ないし地中に位置する基礎で支持されており、この基礎が風や積雪等によるフェンスの倒壊を防止している。
【０００３】
図４は、一般的なフェンスにおける基礎の従来構造の一例を示した図で、１はフェンスの支柱、９は独立基礎ブロック、２５は現場打ちコンクリートで形成した根巻きコンクリート、２６はこれらを支えている砕石層である。独立基礎ブロック９は、中心に支柱１を挿通する貫通孔１６を備えた高さ６０ｃｍ程度のコンクリート二次製品である。
【０００４】
施工は、支柱１を立設する部分の地面を掘削形成した孔の底に砕石を入れて、基礎ブロック９の上端が地表面から若干突出する高さになるように砕石層２６を形成し、その上に基礎ブロック９を載置し、基礎ブロック９の下部を現場型枠で囲ってその中にモルタルを流し込むことにより、根巻きコンクリート２５を造る。そして、根巻きコンクリート２５が固まったあと孔を埋め戻し、基礎ブロックの貫通孔１６に支柱１の基端を差し込み、ブロックとの隙間にモルタル１４を流し込んで支柱１を固定する。
【０００５】
図５は、他の従来構造の例を示した図で、地表部に比較的高さの低い独立基礎ブロック９を設置し、その貫通孔１６を通して支柱１の基部を地中に打ち込み、基礎ブロック９と支柱１との間の隙間２８にモルタルを流し込んで固定した構造である。支柱１がパイプ材であるときは、先端にガイド羽根の付いた先端の尖ったキャップを取り付けて打ち込む。打ち込み深さは３０ｃｍ〜１００ｃｍ程度であり、フェンスの支柱１の間隔は、通常１．８ｍ〜２ｍである。
【特許文献１】実用新案登録第３００２８６２号公報
【特許文献２】実用新案登録第３０８３６５３号公報
【考案の開示】
【考案が解決しようとする課題】
【０００６】
積雪時においては、上記のような従来の基礎構造のフェンスは、積雪や除雪時の雪圧によって倒壊することがあり、より強度の大きな基礎を備えたフェンスが要望まれていた。特に寒冷地においては、支柱と基礎ブロックとを固定しているモルタルの充填部に水がしみ込んで凍結し、モルタルにクラックが入ってそこにまた水がしみ込んで凍結するということを繰り返すうちに、基礎ブロック９が欠けたり割れたりして、支柱の支持強度が低下し、これが積雪荷重によるフェンスの倒壊の原因になっていた。
【０００７】
この考案は、積雪時におけるフェンスの基礎に生ずる上記のような問題を解決するためになされたもので、耐雪強度の大きなフェンスを得ること、更には凍結による基礎の損壊を防止して、耐雪及び耐寒強度に優れたフェンスを得ることを課題としている。
【課題を解決するための手段】
【０００８】
この考案は、鋼管杭８を地中に打ち込んでこの鋼管杭８により支柱１を支持することとし、かつこの鋼管杭８を地中に深く（１ｍ以上）打ち込むことにより、地熱を鋼管杭８または管内部の充填物１０の伝熱作用により地表部分に導き、基礎ブロック９に固定されている地表部における凍結を防止することにより、上記課題を解決している。
【０００９】
地下は夏冬及び昼夜の温度変化が少なく、冬季に地表が凍結しても保温された状態の地中の水は凍結しない。この保温された熱は、１ｍ以上、好ましくは１．５ｍ以上の深さで地中に打ち込まれた鋼管杭８の先端から杭の内部の土砂ないし水を伝って地表部に伝熱される。鋼管杭８の内部に砂を充填すれば、地中から地表への伝熱が円滑に行われ、凍結防止作用が優れている。
【００１０】
フェンス建設中の振動や騒音が問題にならない地域であれば、ハンマやバイブロ等の打込み機を使って鋼管杭８を地中に打ち込むことができる。この場合には、鋼管杭の先端にキャップが装着される。鋼管杭８の側面には、管内に地中の水が流入できるように、通孔１５を設けておくことが必要である。振動や騒音が問題になる地域では、オーガ等の穿孔機で地面に鋼管杭８を差し込むための孔１２を掘削し、当該孔に鋼管杭８を挿入する。この場合には、鋼管杭８の先端を開口させておくことができるが、その場合でも側面に通孔１５を設けるのが好ましい。穿孔機で鋼管杭８を挿入する孔１２を掘削したときは、当該掘削孔と鋼管杭との隙間に砂１１を充填することにより、地表への熱の伝達を更に向上させることができる。
【００１１】
フェンスの倒壊に対する強度を大きくするには、支柱１の間隔Ｐを短くするのが有効である。鋼管杭８の挿入深さＨを１．５ｍ以上とし、かつこの鋼管杭の深さＨより短い間隔Ｐで支柱１を配置することにより、凍結による基礎ブロック９の損傷がなく、かつ積雪や除雪時の雪圧による倒壊のおそれのないフェンスを得ることができる。
【００１２】
本願の請求項１の考案に係るフェンスは、支柱１の基端に位置する基礎ブロック９と、この基礎ブロックに上端を固定して先端を凍結しない深さまで地中に差込んだ鋼管杭８と、基端をこの鋼管杭の上端に固定して立設された前記支柱とを備えていることを特徴とするフェンスである。
【００１３】
本願の請求項２の考案に係るフェンスは、上記構成を備えたフェンスにおいて、前記鋼管杭８の側面に管の内外を連通する通孔１５を備え、当該鋼管杭の内部に砂その他の粒状物１０が充填されていることを特徴とするものである。
【００１４】
本願の請求項３の考案に係るフェンスは、上記構成を備えたフェンスにおいて、前記鋼管杭８が前記支柱１の立設間隔Ｐより大きい地中挿入深さＨを備えていることを特徴とするものである。
【００１５】
本願の請求項４の考案に係るフェンスは、上記各構成を備えたフェンスにおいて、前記鋼管杭８が、その外径より径の大きい掘削孔１２に挿通され、当該掘削孔と鋼管杭との間に砂その他の粒状物１１が充填されていることを特徴とするものである。
【考案の効果】
【００１６】
この考案により、積雪や除雪時の雪圧に対抗する十分な強度を備え、かつ寒冷時に凍結により基礎が損傷するのを防止し、従って凍結に起因する基礎の強度低下を生ずるおそれのないフェンスを得ることができ、北海道や東北地方などの積雪地ないし寒冷地において、強度及び耐久性の高いフェンスを提供できるという効果がある。
【考案を実施するための最良の形態】
【００１７】
以下、図面を参照してこの考案の実施形態を説明する。図１はフェンスの一部を示す正面図、図２は一部を省略して示す基礎の拡大正面図である。図３は図２とは異なる構造の基礎の拡大正面図である。
【００１８】
図のフェンスは、１５０ｃｍ間隔で立設された支柱１を備え、隣接する支柱の上下に胴縁２、３が架け渡され、更に適宜鋼線４が張架されて、それらで形成された枠に金網５が止着されている。図の支柱１は直径約６ｃｍのパイプ材である。
【００１９】
支柱１を支持する基礎７は、地中に打ち込まれた鋼管杭８と、その上端の地表面に位置する独立基礎ブロック９と、鋼管杭８の内外に充填した砂１０、１１とで形成されている。鋼管杭８は、オーガで掘削した深さ１８０ｃｍの掘削孔１２に挿入されて、当該掘削孔との隙間に砂１１が充填されている。掘削孔１２には、鋼管杭８を挿入する前に少量のモルタル１３が投入され、そのモルタルが固化する前に鋼管杭８を挿入することにより、鋼管杭８の先端がモルタル１３に固定された状態となっている。
【００２０】
鋼管杭８の直径は約１１.５ｃｍで、打ち込み深さは１８０ｃｍである。鋼管杭８の側面には、直径１６〜２０ｍｍの通孔１５が１５ｃｍピッチで穿孔されて、管の内外を連通している。鋼管杭８の中には、砂１０が充填されている。
【００２１】
独立基礎ブロック９は、平面形状が一辺３０ｃｍの正方形で、厚さ２０ｃｍの中央に貫通孔１６を備えたコンクリート二次製品である。鋼管杭８の上端は、独立基礎ブロックの貫通孔１６に下方から差し込まれた状態となっており、かつ鋼管杭８と基礎ブロック９とをモルタル１４で固定するときの位置決めのために、板金製の金具１７で連結されている。金具１７は、通しボルト１８で鋼管杭８に固定され、基礎ブロック９に設けたインサートナットにねじ込んだねじ１９で基礎ブロック９に固定されている。
【００２２】
支柱１の基端は、鋼管杭８の上端に若干挿入された状態でモルタル１４で鋼管杭８及び基礎ブロック９と一体化して固定されている。すなわち、鋼管杭８に充填した砂の中に支柱１の下端を差し込んでレベルを出し、その状態で基礎ブロック９の貫通孔にモルタル１４を流し込んで上面を鏝仕上げすることにより、鋼管杭８、基礎ブロック９及び支柱１が一体化した状態で固定されている。
【００２３】
図３は、鋼管杭８を打込み機で地中に打ち込んだ場合の例で、鋼管杭８の先端には、ガイド羽根２１の付いた先端の尖ったキャップ２２が装着されている。鋼管杭８の側面には、図２のものと同様に通孔１５が設けられており、内部に砂１０が充填されている。鋼管杭８の外周は、地盤の土に直接接している。鋼管杭８の上端と基礎ブロック９及び支柱１の下端を固定する部分の構造は、図２のものと同じである。
【００２４】
上記のように構成したフェンスは、地中に深く差し込まれた鋼管杭８を備えているので、支柱１の倒壊に抵抗する強度が高く、また支柱１の配設ピッチＰを鋼管杭８の差し込み深さＨより短い間隔としているので、積雪や除雪時の雪圧により倒壊するおそれがない。また、地中に深く差し込まれた鋼管杭８の先端部から鋼管杭８の内部に充填された砂１０及びその隙間の地下水によって地中の熱が地表部へと伝達されるので、鋼管杭８と支柱１及び基礎ブロック９の連結部で水が凍結して、これらを固定しているモルタルや基礎ブロックがひび割れたり損壊したりすることが防止され、凍結による強度低下や耐久性の低下も避けることができる。
【図面の簡単な説明】
【００２５】
【図１】この考案のフェンスの一部を示す正面図
【図２】支柱を支える基礎の第１例を示す一部を省略した拡大正面図
【図３】同第２例を示す拡大正面図
【図４】フェンスの基礎の第１従来例を示す正面図
【図５】同第２従来例を示す正面図
【符号の説明】
【００２６】
１  支柱
８  鋼管杭
９  基礎ブロック
10  砂
11  砂
12  掘削孔
15  通孔
Ｈ  地中挿入深さ
Ｐ  支柱の立設間隔
【図１】
0003113445.tif 000003
【図２】
0003113445.tif 000004
【図３】
0003113445.tif 000005
【図４】
0003113445.tif 000006
【図５】
0003113445.tif 000007